(57)【特許請求の範囲】
【請求項１】
供給された撮影画像情報が担持する画像を複数のページ部に亘って予め定められた表示順に一覧表示してインデックスアルバム冊子を作成するインデックスアルバム冊子作成装置において、
前記撮影画像情報に含まれる付帯情報に基づいて前記画像のうちから、標準形態より誇張した誇張形態で表示させる候補となる候補画像を決定する候補画像決定手段と、
前記インデックスアルバム冊子中において表示順に連続する所定数のページ部からなるページ部群のうちから、各画像を各ページ部へ表示させたときに前記候補画像のページ部中での表示順番が互に一致するページ部を含むページ部群を抽出する抽出手段と、
前記抽出された各ページ部群に含まれる各ページ部中では誇張形態で表示する画像の表示順番を互に一致させないように、前記ページ部のいずれかにおいて前記候補画像とは異なる画像を誇張形態で表示させる表示制御手段とを備えたことを特徴とするインデックスアルバム冊子作成装置。
【請求項２】
前記インデックスアルバム冊子が、連続する２つのページ部からなる見開きページを有するものであり、
前記ページ部群が、前記見開きページであることを特徴とする請求項１記載のインデックスアルバム冊子作成装置。
【請求項３】
前記標準形態が、前記画像を標準サイズで表示させる形態であり、前記誇張形態が、前記画像を前記標準サイズよりも大きな大判サイズで表示させる形態であることを特徴とする請求項１または２記載のインデックスアルバム冊子作成装置。
【請求項４】
供給された撮影画像情報が担持する画像を複数のページ部に亘って予め定められた表示順に一覧表示してインデックスアルバム冊子を作成するインデックスアルバム冊子作成方法において、
前記撮影画像情報に含まれる付帯情報に基づいて前記画像のうちから、標準形態より誇張した誇張形態で表示させる候補となる候補画像を決定し、
前記インデックスアルバム冊子中において表示順に連続する所定数のページ部からなるページ部群のうちから、各画像を各ページ部へ表示させたときに前記候補画像のページ部中での表示順番が互に一致するページ部を含むページ部群を抽出し、
前記抽出された各ページ部群に含まれる各ページ部中では誇張形態で表示する画像の表示順番を互に一致させないように、前記ページ部のいずれかにおいて前記候補画像とは異なる画像を誇張形態で表示させることを特徴とするインデックスアルバム冊子作成方法。
【請求項５】
供給された撮影画像情報が担持する画像を複数のページ部に亘って予め定められた表示順に一覧表示してインデックスアルバム冊子を作成するインデックスアルバム冊子作成方法をコンピュータに実行させるためのプログラムにおいて、
前記撮影画像情報に含まれる付帯情報に基づいて前記画像のうちから、標準形態より誇張した誇張形態で表示させる候補となる候補画像を決定する手順と、
前記インデックスアルバム冊子中において表示順に連続する所定数のページ部からなるページ部群のうちから、各画像を各ページ部へ表示させたときに前記候補画像のページ部中での表示順番が互に一致するページ部を含むページ部群を抽出する手順と、
前記抽出された各ページ部群に含まれる各ページ部中では誇張形態で表示する画像の表示順番を互に一致させないように、前記ページ部のいずれかにおいて前記候補画像とは異なる画像を誇張形態で表示させる手順とを実行することを特徴とするインデックスアルバム冊子作成方法をコンピュータに実行させるためのプログラム。
【発明の詳細な説明】
【技術分野】
【０００１】
本発明は、供給された撮影画像情報が担持する画像を複数のページ部に亘って予め定められた表示順に一覧表示してインデックスアルバム冊子を作成するインデックスアルバム冊子作成方法および装置ならびにインデックスアルバム冊子作成方法をコンピュータに実行させるためのプログラムに関するものである。
【背景技術】
【０００２】
従来より、デジタルカメラ等で撮影し記録媒体に記録した多数の画像を上記記録媒体から読み出して一枚のプリント用紙上に撮影順に一覧表示してなるインデックスプリントが知られている（特許文献１参照）。上記インデックスプリントには、上記記録媒体に記録した画像の全てが撮影順に表示されるので、例えば気に入った画像を選択して大判サイズでプリント注文する際に利用することができる。
【０００３】
また、各画像を、見開きページを有する書籍のような形態で一覧表示してなるインデックスアルバム冊子も検討されている。このようなインデックスアルバム冊子は上記インデックッスプリントとは異なり複数のページに亘って画像を一覧表示させるものであり、各ページ中には複数の画像が表示される。
【０００４】
さらに、画像を複数のページ部に亘って表示させる際に、各ページ部中の一部の画像を誇張して、例えば一部の画像を他の画像より大きく表示してインデックスアルバム冊子を見栄えの良いものにする検討も行なわれている。
【特許文献１】特開２００５-１１９０８３号公報
【発明の開示】
【発明が解決しようとする課題】
【０００５】
ところで、単に各ページ部中において一部の画像を他の画像より誇張して表示しただけでは、ページ順に各ページ部を見たときに単調な表示に感じられることがある。例えば、ページ部の左上の領域に他の画像より大きく拡大した大判サイズの画像（誇張した画像）を表示したページが続いたり、あるいは、そのようなページがインデックスアルバム冊子のはじめの方に集中して表示されるような場合には上記誇張した表示を単調な表示と感じることがある。
【０００６】
このような場合には、誇張表示の効果が十分に得られないことがあるため、上記のようにインデックスアルバム冊子中の画像の表示が単調になるのを防ぎ誇張表示の効果の低下を抑制したいという要請がある。
【０００７】
本発明は、上記事情に鑑みてなされたものであり、インデックスアルバム冊子における画像の表示品質の低下を抑制することができるインデックスアルバム冊子作成方法および装置ならびにインデックスアルバム冊子作成方法をコンピュータに実行させるためのプログラムを提供することを目的とするものである。
【課題を解決するための手段】
【０００８】
本発明のインデックスアルバム冊子作成装置は、供給された撮影画像情報が担持する画像を複数のページ部に亘って予め定められた表示順に一覧表示してインデックスアルバム冊子を作成するインデックスアルバム冊子作成装置において、撮影画像情報に含まれる付帯情報に基づいて前記画像のうちから、標準形態より誇張した誇張形態で表示させる候補となる候補画像を決定する候補画像決定手段と、インデックスアルバム冊子中において表示順に連続する所定数のページ部からなるページ部群のうちから、各画像を各ページ部へ表示させたときに候補画像のページ部中での表示順番が互に一致するページ部を含むページ部群を抽出する抽出手段と、抽出された各ページ部群に含まれる各ページ部中では誇張形態で表示する画像の表示順番を互に一致させないように、前記ページ部のいずれかにおいて前記候補画像とは異なる画像を誇張形態で表示させる表示制御手段とを備えたことを特徴とするものである。
【０００９】
前記インデックスアルバム冊子を、連続する２つのページ部からなる見開きページを有するものとし、前記ページ部群は前記見開きページとすることができる。
【００１０】
前記標準形態は画像を標準サイズで表示させる形態とし、前記誇張形態は画像を標準サイズよりも大きな大判サイズで表示させる形態とすることができる。
【００１１】
本発明のインデックスアルバム冊子作成方法は、供給された撮影画像情報が担持する画像を複数のページ部に亘って予め定められた表示順に一覧表示してインデックスアルバム冊子を作成するインデックスアルバム冊子作成方法において、撮影画像情報に含まれる付帯情報に基づいて前記画像のうちから、標準形態より誇張した誇張形態で表示させる候補となる候補画像を決定し、インデックスアルバム冊子中において表示順に連続する所定数のページ部からなるページ部群のうちから、各画像を各ページ部へ表示させたときに前記候補画像のページ部中での表示順番が互に一致するページ部を含むページ部群を抽出し、抽出された各ページ部群に含まれる各ページ部中では誇張形態で表示する画像の表示順番を互に一致させないように、前記ページ部のいずれかにおいて前記候補画像とは異なる画像を誇張形態で表示させることを特徴とするものである。
【００１２】
本発明のインデックスアルバム冊子作成方法をコンピュータに実行させるためのプログラムは、供給された撮影画像情報が担持する画像を複数のページ部に亘って予め定められた表示順に一覧表示してインデックスアルバム冊子を作成するインデックスアルバム冊子作成方法をコンピュータに実行させるためのプログラムにおいて、撮影画像情報に含まれる付帯情報に基づいて前記画像のうちから、標準形態より誇張した誇張形態で表示させる候補となる候補画像を決定する手順と、インデックスアルバム冊子中において表示順に連続する所定数のページ部からなるページ部群のうちから、各画像を各ページ部へ表示させたときに前記候補画像のページ部中での表示順番が互に一致するページ部を含むページ部群を抽出する手順と、抽出された各ページ部群に含まれる各ページ部中では誇張形態で表示する画像の表示順番を互に一致させないように、前記ページ部のいずれかにおいて前記候補画像とは異なる画像を誇張形態で表示させる手順とを実行することを特徴とするものである。
【００１３】
前記候補画像決定手段による候補画像の決定にはどのような手法を用いてもよく、例えば、付帯情報に基づいた演算処理により前記画像のうちから候補画像を決定してもよいし、単に予め定められた候補画像の各ページ部中での表示順番を付帯情報として取得して誇張表示用画像を決定してもよい。
【００１４】
前記表示順は撮影順とすることができる。なお、この撮影順は撮影画像情報が示す各画像の撮影時期の時系列順である。
【００１５】
各画像の各ページ部への表示順での表示は、各画像を表示する領域の重心位置を基準にして各画像を表示順に表示したり、あるいは各画像を表示する領域が長方形形状の場合には上記画像を表示する領域の左上角部あるいは右上角部を基準にして各画像を表示順に表示することができる。
【００１６】
前記一致は、完全一致とすることができる。
【００１７】
前記画像の各ページ部への表示は、画像を印刷して表示する方式や、画像を感光材料上に露光しその感光材料を現像して表示する方式を採用することができる。
【発明の効果】
【００１８】
本発明のインデックスアルバム冊子作成方法および装置ならびにプログラムによれば、インデックスアルバム冊子中において表示順に連続する所定数のページ部からなるページ部群のうちから、誇張形態で表示する画像の候補となる候補画像のページ部中での表示順番が互に一致するページ部を含むページ部群を抽出し、抽出された各ページ部群に含まれる各ページ部中では誇張形態で表示する画像の表示順番を互に一致させないように、上記ページ部のいずれかにおいて上記候補画像とは異なる画像を誇張形態で表示させるようにしたので、インデックスアルバム冊子中に画像を表示する際の誇張表示の効果の低下を防ぐことができ、インデックスアルバム冊子における画像の表示品質の低下を抑制することができる。これにより、見栄えの良いインデックスアルバム冊子をより確実に得ることができる。
【００１９】
また、標準形態を、画像を標準サイズで表示させる形態とし、誇張形態を、画像を標準サイズよりも大きな大判サイズで表示させる形態とすれば、より確実に誇張形態の表示を標準形態の表示よりも誇張したものとすることができる。
【発明を実施するための最良の形態】
【００２０】
以下、本発明の実施の形態について、図面を用いて説明する。図１は本発明のインデックスアルバム冊子作成装置の概略構成を示すブロック図、図２は候補画像のページ表示順番と候補画像ではない画像のページ表示順番とを各ページ部毎に示す図である。図３は表示制御部により各画像を各ページ部に表示させた様子を示す図、図４は見開きページ部を構成する各ページ部において表示順番が互に一致する候補画像をそのまま誇張形態で表示させた様子を示す図である。
【００２１】
図示の本発明のインデックスアルバム冊子作成装置１００は、外部から供給された撮影画像情報が担持する各画像を複数のページ部Ｐ１、Ｐ２、・・・に亘って予め定められた表示順に一覧表示してインデックスアルバム冊子５を作成するものである。
【００２２】
上記インデックスアルバム冊子作成装置１００は、上記撮影画像情報に含まれる付帯情報に基づいて上記撮影画像情報が担持する画像のうちから、標準形態より誇張した誇張形態で表示させる候補となる候補画像を決定する候補画像決定部３０と、インデックスアルバム冊子５中において表示順に連続する所定数のページ部からなるページ部群のうちから、各画像を各ページ部に表示したときに上記候補画像のページ部中での表示順番が互に一致するページ部を含むページ部群を抽出する抽出部１０と、上記抽出された各ページ部群に含まれる各ページ部中では誇張形態で表示する画像の表示順番を互に一致させないように、上記ページ部のいずれかにおいて上記候補画像とは異なる画像を誇張形態で表示させる表示制御部２０とを備えている。
【００２３】
上記表示制御部２０は、この表示制御部２０の一部をなす印刷部（図示は省略）を有しており、この印刷部がインデックスアルバム冊子用原紙５′に各画像を印刷し表示する。
【００２４】
上記表示順は撮影順であり、この撮影順は撮影画像情報が示す各画像の撮影時期の時系列順である。
【００２５】
上記撮影画像情報が担持する画像は被写体を撮影して得られたものである。
【００２６】
上記付帯情報は上記撮影画像情報が担持する画像を含むものとしてもよい。
【００２７】
各画像の各ページ部への表示順での表示は、各画像を表示する領域の重心位置を基準にして各画像の表示順での表示を行なったり、あるいは各画像を表示する領域が長方形形状の場合には上記画像を表示する領域の左上角部や右上角部等を基準にして各画像の表示順での表示を行なうことができる。ここでは、後述するように、各画像を表示する領域が長方形形状であるので上記画像を表示する領域の左上角部を基準にして各画像の撮影順での表示を行なう。
【００２８】
上記各画像の表示は、画像を印刷して表示する方式や、画像を感光材料上に露光しその感光材料を現像して表示する方式を採用することができる、ここでは、画像を印刷して表示するものとする。
【００２９】
上記インデックスアルバム冊子作成装置１００の外部には、デジタルカメラ等で被写体を撮影して得た各画像と各画像の付帯情報を含む撮影画像情報が記録されたリムーバブル記録メディアやＣＤ-ＲＯＭ等からなる記録媒体８９から上記撮影画像情報を入力する入力部８１と、上記入力部８１から撮影画像情報を入力し記憶するハードディスクである画像情報記憶部８２とが配置されている。
【００３０】
上記インデックスアルバム冊子作成装置１００によりインデックスアルバム冊子５を作成する作用について説明する。はじめに、各ページ部Ｐ１、Ｐ２、・・・のそれぞれに同数の画像、ここでは９個の画像を表示してインデックスアルバム冊子５を作成する場合について説明する。
【００３１】
表示誇張度読取部８５が、画像情報記憶部８２から入力した撮影画像情報に基づいて各画像の表示誇張度合を示す値（以後、表示誇張度値という）を読み取って各画像の表示誇張度値を示す付帯情報を作成する。
【００３２】
そして、表示誇張度読取部８５から上記付帯情報を入力した候補画像決定部３０が、上記撮影画像情報が担持する画像のうちから、標準形態より誇張した誇張形態で表示させる候補となる候補画像を決定する。
【００３３】
なお、候補画像決定部３０が表示誇張度読取部８５を兼用するものとしてもよいし表示誇張度読取部８５はインデックスアルバム冊子作成装置１００の外部に配置されたものとしてもよい。
【００３４】
ここで、上記候補画像決定部３０は、各画像の表示誇張度値を読み取って、予め定められた閾値以上の表示誇張度値を持つ画像を候補画像に定める。
【００３５】
より具体的には、候補画像決定部３０は、インデックスアルバム冊子用原紙５′中の各ページ部に画像を表示させる際の仕様を外部から入力するとともに、表示誇張度読取部８５から各画像の表示誇張度値を示す付帯情報を入力する。そして上記仕様および付帯情報に基づいて、各画像を各ページ部に表示したときの各画像の各ページ部中での表示順番、および誇張形態で表示させる候補となる候補画像の各ページ部中での表示順番を求める。なお、インデックスアルバム冊子用原紙５′はインデックスアルバム冊子５に画像を表示する前の白紙状態の冊子である。
【００３６】
以後、上述のインデックスアルバム冊子用原紙５′に各画像を表示させる表示順を冊子表示順と称し、これに対して、上記ページ部中での表示順番をページ表示順番と称する。上記インデックスアルバム冊子５に表示させる各画像の冊子表示順は、各画像の表示順に対応して定められるものである。
【００３７】
ここでは、上記仕様は各ページ部それぞれに９個の画像を表示可能とするものであり、上記誇張形態は標準形態で表示させる画像のサイズよりも大きな大判サイズで画像を表示したり、あるいは画像の縁に枠を付けて表示したりするものとする。さらに、ここでは候補画像決定部３０が各ページ部中に表示する画像のうちの最も表示誇張度値の大きい画像を候補画像に決定するものとする。
【００３８】
図２は各ページ部に９個の画像を表示するときに各ページ部中に１つだけ含まれる候補画像のページ表示順番と候補画像ではない画像のページ表示順番とを各ページ部毎に示す図である。
【００３９】
上記図２に示すように、各画像をインデックスアルバム冊子用原紙５′に表示するときの各候補画像のこのインデックスアルバム冊子用原紙５′中のページ部Ｐ１、Ｐ２、Ｐ３、Ｐ４でのページ表示順番は以下のようになっている。
【００４０】
ページ部Ｐ１、Ｐ２で構成される見開きページ部ＰＰ２１においては、ページ部Ｐ１に表示される候補画像のページ表示順番は１番、ページ部Ｐ２に表示される候補画像のページ表示順番は８番である。
【００４１】
ページ部Ｐ３、Ｐ４で構成される見開きページ部ＰＰ２２においては、ページ部Ｐ３に表示される候補画像のページ表示順番は４番、ページ部Ｐ４に表示される候補画像のページ表示順番も４番である。
【００４２】
上記各ページ部における候補画像のページ表示順番は抽出部１０へ入力される。
【００４３】
また、抽出部１０には、上記インデックスアルバム冊子５中において表示順に連続する所定数のページ部からなるページ部群が見開きページであることを示す情報が外部から入力される。
【００４４】
上記抽出部１０は、ページ部群である見開きページのうちから、各画像がインデックスアルバム冊子５に表示されたときに候補画像のページ部中でのページ表示順番が互に一致するページ部を含む見開きページを抽出する。ここでは、候補画像のページ表示順番が完全一致するページ部を含む見開きページ部を抽出する場合について説明する。なお、ページ部中に複数の候補画像を含む場合にはページ部中の複数の候補画像のうちの一部の候補画像のページ表示順番のみが一致するページ部を含む見開きページ部を抽出するようにしてもよい。すなわち、上記ページ表示順番の一致は一部一致としてもよい。
【００４５】
より具体的には、抽出部１０が、候補画像のページ部中での表示順番が互に完全一致するページ部を含むページ部群を抽出する場合には、表示制御部２０は、抽出された各ページ部群に含まれる各ページ部中では誇張形態で表示する画像の表示順番を互に完全一致させないように、すなわち各ページ部中では誇張形態で表示する画像のうちの少なくとも１つの画像についてはその表示順番を互に一致させないように、前記ページ部のいずれかにおいて前記候補画像とは異なる画像を誇張形態で表示させる。
【００４６】
一方、抽出部１０が、候補画像のページ部中での表示順番が互に一部一致するページ部を含むページ部群を抽出する場合には、表示制御部２０は、抽出された各ページ部群に含まれる各ページ部中では誇張形態で表示する画像の表示順番を互に一部一致させないように、すなわち各ページ部中では誇張形態で表示する画像のうちのいずれの画像についてもその表示順番を互に一致させないように、前記ページ部のいずれかにおいて前記候補画像とは異なる画像を誇張形態で表示させる。
【００４７】
ここではページ部群を見開きページとしたが、ページ部群は見開きページに限らず表示順に連続する３ページ以上のページ部からなるものであってもよい。なお、上記のようにページ部群を構成するページ部を示す情報は外部から抽出部１０へ入力される。
【００４８】
次に、抽出部１０が、各見開きページのうちから、候補画像のページ部中でのページ表示順番が互に一致するページ部を含む見開きページを抽出する。
【００４９】
図２に示すように、見開きページ部ＰＰ２１を構成するページ部Ｐ１とＰ２における候補画像の各ページ表示順番は１番と８番で互いに異なる。見開きページ部ＰＰ２２を構成するページ部Ｐ３とＰ４における候補画像のページ表示順番は共に４番で一致する。
【００５０】
したがって、見開きページ部ＰＰ２２が抽出部１０によって抽出される。
【００５１】
表示制御部２０は、上記抽出されたページ部群である見開きページ部ＰＰ２２に含まれる各ページ部中では誇張形態で表示する画像の表示順番を互に一致させないように、上記見開きページ部を構成するページ部のいずれかにおいて上記候補画像とは異なる画像を誇張形態で表示させる。
【００５２】
すなわち、図３に示すように、見開きページ部ＰＰ２１を構成するページ部Ｐ１ではページ表示順番が１番の候補画像を、ページ部Ｐ２ではページ表示順番が８番の候補画像を大判サイズで表示し、他の画像を上記大判サイズより小さい標準サイズで表示する。
【００５３】
見開きページ部ＰＰ２２においては、ページ部Ｐ３ではページ表示順番が４番の候補画像をそのまま大判サイズで表示し、ページ部Ｐ４ではページ表示順番が４番の候補画像を大判サイズで表示させることなく、上記候補画像以外の画像のうちで最も大きい表示誇張度値を持つページ表示順番が２番の画像を誇張形態である大判サイズで表示する。
【００５４】
また、上記の場合とは異なる表示としてもよい、図３中の矢印Ｊ１で示すように、例えば、見開きページ部ＰＰ２２′を構成するページ部Ｐ３′、Ｐ４′それぞれにおいてページ表示順番が４番である候補画像を大判サイズで表示させることなく、上記各ページ部中において、上記候補画像以外の画像のうちで最も大きい表示誇張度値を持つページ部Ｐ３′におけるページ表示順番が８番の画像、ページ部Ｐ４′におけるページ表示順番が２番の画像を誇張形態である大判サイズで表示してもよい。
【００５５】
なお、見開きページ部ＰＰ２１、ＰＰ２２（ＰＰ２２′）において誇張形態で表示させない画像は、標準形態である上記大判サイズより小さな標準サイズで表示する。
【００５６】
上記表示順である撮影順での表示は、ページ部のより上側（図３中矢印＋Ｙ方向）の位置により過去に遡った時刻に撮影された画像が表示されるように設定されている。なお、上記撮影順の表示は、左右方向より上下方向の優先度を高く設定しているので、２つの画像の左上角部の位置を上下方向（図３中矢印±Ｙ方向）に一致させて各画像を表示させる場合には、ページ部のより左側（図３中矢印＋Ｘ方向）により過去に遡った時刻に撮影された画像が表示されるように設定されている。
【００５７】
換言すれば、撮影順の表示は、ページ部のより下側（図３中矢印-Ｙ方向）により新しい時刻に撮影された画像の左上角部の位置を位置させるように設定されている。また、上記撮影順の表示は、２つの画像の左上角部の位置をページ部の上下方向（図３中矢印±Ｙ方向）に一致させて各画像を表示させる場合にはページ部のより右側（図中矢印-Ｘ方向）により新しい時刻に撮影された画像が表示されるように設定されている。
【００５８】
なお、上記時刻は、各画像の付帯する撮影時期が示す時刻に対応するものである。
【００５９】
しかしながら、必ずしも上記のように表示させる場合に限らず、画像の表示順は上記とは異なる基準によって定めるようにしてもよい。
【００６０】
上記のことにより、インデックスアルバム冊子中に画像を表示する際の誇張表示の効果の低下を防ぐことができ、インデックスアルバム冊子に画像を表示する際の表示品質の低下を抑制することができる。すなわち、図４に示すように、見開きページ部ＰＰ２２を構成するページ部Ｐ３、Ｐ４それぞれにおいて表示順番が互に一致する候補画像（表示順番が４番の画像）をそのまま誇張形態で表示させた場合には、見開きページが単調な表示となってしまうところを、より見栄えの良い表示とすることができる。
【００６１】
なお、上記誇張形態と標準形態との違いを画像の大きさの差で示す場合に限らない。例えば画像の縁に枠を付けて表示する形態を誇張形態とし、画像の縁に枠を付けることなく表示する形態を標準形態としてもよい。
【００６２】
図５は誇張形態を画像の縁に枠を付けた表示形態とし、標準形態を画像の縁に枠を付けない表示形態として各画像を表示した様子を示す図である。
【００６３】
上述の表示制御部２０による画像の表示を、画像の全てを同一サイズで表示するとともに上述の大判サイズで表示した画像は枠付きの誇張形態で表示し、他の画像は枠無しの標準形態で表示すると、上記説明済みの図３で示した表示形態を上記図５に示す表示形態とすることができる。
【００６４】
すなわち、見開きページ部ＰＰ２１を構成するページ部Ｐ１では、ページ表示順番が１番の候補画像を、ページ部Ｐ２ではページ表示順番が８番の候補画像を枠付きで表示し、他の画像を枠無しで表示する。
【００６５】
見開きページ部ＰＰ２２を構成するページ部Ｐ３では、ページ表示順番が４番の候補画像を枠付きで表示し、ページ部Ｐ４では、ページ表示順番が４番の候補画像を枠無しで表示し、上記候補画像以外の画像のうちで最も大きい表示誇張度値を持つページ表示順番が２番の画像を枠付きで表示する。
【００６６】
上記画像の縁に枠を付けた表示形態を誇張形態とし、画像の縁に枠を付けない形態を標準形態とする表示方式として、以下のような例を挙げることもできる。
【００６７】
例えば、見開きページ部ＰＰ２２を構成するページ部Ｐ３とＰ４それぞれにおいて最も大きい表示誇張度値を持つ候補画像のページ表示順番は共に４番で一致しており、この見開きページ部ＰＰ２２が抽出部１０によって抽出された場合には、表示制御部２０により以下のような表示を実行するようにしてもよい。
【００６８】
図６（ａ）は見開きページ部を構成する各ページ部において誇張形態で表示する画像の表示順番が互に一致する場合の表示を示す図、図６（ｂ）は見開きページ部を構成する各ページ部において誇張形態で表示する画像の表示順番を互に一致させないようにした場合の表示を示す図である
すなわち、図６（ｂ）に示すように、見開きページ部ＰＰ２２を構成するページ部Ｐ３では、候補画像であるページ表示順番が４番の候補画像を枠付きで表示する。一方、見開きページ部ＰＰ２２を構成するページ部Ｐ４では、ページ表示順番が４番の候補画像を枠付きで表示し、かつ、上記候補画像以外の画像のうち最も大きい表示誇張度値を持つページ表示順番が２番の画像を枠付きで表示する。
【００６９】
このようにすれば、図６（ａ）に示すように、見開きページ部ＰＰ２２を構成するページ部Ｐ３、Ｐ４それぞれにおいて表示順番が互に一致するページ表示順番が４番の候補画像を共に枠付きで表示させた場合に比してより見栄え良く画像を表示させることができる。
【００７０】
さらに、見開きページ部ＰＰ２２を構成するページ部Ｐ３とＰ４それぞれにおいて最も大きい表示誇張度値と２番目に大きい表示誇張度値とを持つ各候補画像のページ表示順番は４番と２番で両方のページ部で互に一致し、この見開きページ部ＰＰ２２が抽出部１０によって抽出された場合には、表示制御部２０により以下のような表示を実行するようにしてもよい。
【００７１】
図７（ａ）は見開きページ部を構成する各ページ部において誇張形態で表示する画像の表示順番が互に一致する場合の表示を示す図、図７（ｂ）、（ｃ）、（ｄ）は見開きページ部を構成する各ページ部において誇張形態で表示する画像の表示順番を互に一致させないようにした場合の表示を示す図である
すなわち、図７（ｂ）および図７（ｃ）に示すように、見開きページ部ＰＰ２２を構成するページ部Ｐ３では候補画像（ページ表示順番が２番と４番の画像）を枠付きで表示する。そして、見開きページ部ＰＰ２２を構成するページ部Ｐ４では、候補画像（ページ表示順番が２番と４番の画像）以外の画像のうち最も大きい表示誇張度値を持つページ表示順番が９番の画像を誇張形態（枠付き）で表示する。そして、このときページ部Ｐ４中の候補画像であるページ表示順番が２番の画像を標準形態（枠無し）で表示させるように変更してもよいし（図７（ｂ）参照）、上記ページ表示順番が２番の画像を誇張形態（枠付き）で表示させたままとしてもよい（図７（ｃ）参照）。
【００７２】
さらに、図７（ｄ）に示すように、見開きページ部ＰＰ２２を構成するページ部Ｐ３では候補画像（ページ表示順番が２番と４番の画像）を枠付きで表示する。そして、見開きページ部ＰＰ２２を構成する一方のページ部Ｐ４中の候補画像（ページ表示順番が２番と４番の画像）以外の画像のうち最も大きい表示誇張度値を持つページ表示順番が９番の画像と、その次に大きい表示誇張度値を持つページ表示順番が１番の画像とを誇張形態（枠付き）で表示する。そして、このときページ部Ｐ４中の候補画像であるページ表示順番が２番と４番の画像を標準形態（枠無し）で表示させるように変更する。
【００７３】
このようにすれば、図７（ａ）に示すように、見開きページ部ＰＰ２２を構成するページ部Ｐ３、Ｐ４それぞれにおいて表示順番が互に一致するページ表示順番が２番と４番の候補画像を共に枠付きで表示させた場合に比してより見栄え良く画像を表示させることができる。
【００７４】
なお、上記説明では各画像の表示誇張度値の比較により候補画像を決定したが、このような場合に限らずどのような手法によって候補画像を決定してもよい。また、候補画像の代わりに誇張形態で表示させる画像を各画像の表示誇張度値の比較によって定めたが、このような場合に限らず、上記候補画像の代わりに誇張形態で表示させる画像はどのような手法によって定めてもよい。
【００７５】
次に、インデックスアルバム冊子中において表示順に連続する所定数のページ部からなるページ部群を、表示順に連続する３つのページ部からなるものとした場合について説明する。
【００７６】
図８（ａ）は表示順に連続する３つのページ部からなる各ページ部群に含まれる各ページ部中のうちに、誇張形態で表示する画像の表示順番が互に一致するページ部を含む場合を示す図、図８（ｂ）は表示順に連続する３つのページ部からなる各ページ部群に含まれる各ページ部中のうちに誇張形態で表示する画像の表示順番が互に一致するページ部を含まないようにした場合を示す図である。
【００７７】
インデックスアルバム冊子がページ部Ｐ１〜Ｐ６の６ページで構成されており、各ページ部に１つずつ候補画像が決定されているとする。ここで、ページ部Ｐ１のページ表示順番が１の画像、ページ部Ｐ２のページ表示順番が５の画像、ページ部Ｐ３のページ表示順番が８の画像、ページ部Ｐ４のページ表示順番が５の画像、ページ部Ｐ５のページ表示順番が１の画像、およびページ部Ｐ６のページ表示順番が５の画像が候補画像であるとする（図８（ａ）参照）。
【００７８】
表示順に連続する３つのページ部からなページ部群は、ページ部Ｐ１、Ｐ２、およびＰ３からなるページ部群ＰＰ３１、ページ部Ｐ２、Ｐ３、およびＰ４からなるページ部群ＰＰ３２、ページ部Ｐ３、Ｐ４、およびＰ５からなるページ部群ＰＰ３３、ページ部Ｐ４、Ｐ５、およびＰ６からなるページ部群ＰＰ３４である。
【００７９】
抽出部１０は、上記ページ部群のうちから、候補画像のページ部中での表示順番が互に一致（完全一致）するページ部を含むページ部群として、ページ部群ＰＰ３２、ページ部群ＰＰ３４を抽出する。上記ページ部群ＰＰ３２を構成するページ部Ｐ２およびＰ４のそれぞれでは候補画像のページ表示順番が５番であり互に一致する。また、上記ページ部群ＰＰ３４を構成するページ部Ｐ４およびＰ６のそれぞれでは候補画像のページ表示順番が５番であり互に一致する。
【００８０】
表示制御部２０は、上記抽出された各ページ部群ＰＰ３２、ＰＰ３４に含まれる各ページ部のうちでは誇張形態で表示する画像の表示順番を互に一致させないように、ページ部のいずれかにおいて上記候補画像とは異なる画像を誇張形態で表示させる。
【００８１】
ここでは、図８（ｂ）に示すように、表示制御部２０は、ページ部Ｐ４のページ表示順番が５番の画像を誇張形態で表示させる代わりに表示順番が３番の画像を誇張形態で表示させる。これにより、ページ部群ＰＰ３１〜ＰＰ３４それぞれに含まれる各ページ部のうちでは誇張形態で表示する画像の表示順番を互に一致させないようにすることができる。
【００８２】
このようにすれば、図８（ａ）に示すように、ページ部群に含まれる各ページ部中において候補画像の表示順番が５番で互に一致するページ部Ｐ２とＰ４、およびページ部Ｐ４とＰ６において各候補画像それぞれを共に枠付きで表示させた場合に比してより見栄えの良いインデックスアルバム冊子を得ることができる。
【００８３】
なお、上記説明においては、ページ部中に表示させる画像の数を変動させない場合について説明したが、例えば誇張形態の１例である大判サイズで表示させる画像の数に応じて、すなわちページ部の全表示領域中に占める上記大判サイズで表示させる画像の表示領域の割合の変更に応じてページ部中に表示させる画像の数を変動させる場合であっても上記手法を適用することができる。
【００８４】
すなわち、外部から入力された候補画像の冊子表示順番、および仕様に基づいて、候補画像決定部が、各ページ部に表示する画像の数と各ページ部に含まれる候補画像のページ表示順番とをページ部毎に設定するが、このとき、ページ部中に含まれる候補画像の数が多いほどこのページ部中に表示可能な画像の数が少なく設定される場合がある。
【００８５】
このような場合には、各ページ部中に含まれる候補画像の数と各ページ部中に誇張形態で表示する画像の数とを一致させるように表示制御部による画像表示を行うことにより、上記と同様の手法を適用することができる。
【００８６】
なお、上記説明においてインデックスアルバム冊子を、連続する２つのページ部からなる見開きページを有するものとしたが、インデックスアルバム冊子は見開きページを有するものに限らない。
【００８７】
また、上記誇張形態は、この誇張形態で表示した画像を標準形態で表示した画像よりも容易に視認できるようにするものであればどのような表示形態であってもよい。
【００８８】
なお、本発明のインデックスアルバム冊子作成装置の機能を実行するためのプログラムをパソコンにインストールし、パソコンにおいて上記実施形態と同様にインデックスアルバム冊子の作成を行なうことが可能である。
【図面の簡単な説明】
【００８９】
【図１】本発明のインデックスアルバム冊子作成装置の概略構成を示すブロック図
【図２】候補画像のページ表示順番と候補画像ではない画像のページ表示順番とを各ページ部毎に示す図
【図３】表示制御部の作用により各画像を各ページ部に表示させた様子を示す図
【図４】見開きページ部を構成する各ページ部において表示順番が互に一致する候補画像をそのまま誇張形態で表示させた様子を示す図
【図５】誇張形態を画像の縁に枠を付けた表示形態とし標準形態を画像の縁に枠を付けない表示形態として各画像を表示した様子を示す図
【図６】図６（ａ）は見開きページ部を構成する各ページ部において誇張形態で表示する画像の表示順番が互に一致する場合の表示を示す図、図６（ｂ）は見開きページ部を構成する各ページ部において誇張形態で表示する画像の表示順番を互に一致させないようにした場合の表示を示す図
【図７】図７（ａ）は見開きページ部を構成する各ページ部において誇張形態で表示する画像の表示順番が互に一致する場合の表示を示す図、図７（ｂ）、（ｃ）、（ｄ）は、見開きページ部を構成する各ページ部において誇張形態で表示する画像の表示順番を互に一致させないようにした場合の表示を示す図
【図８】図８（ａ）は各ページ部群に含まれる各ページ部中のうちに誇張形態で表示する画像の表示順番が互に一致するページ部を含む場合を示す図、図８（ｂ）は各ページ部群に含まれる各ページ部のうちに誇張形態で表示する画像の表示順番が互に一致するページ部を含まないようにした場合を示す図
【符号の説明】
【００９０】
５    インデックスアルバム冊子
１０    抽出部
２０    表示制御部
３０    候補画像決定部
【図１】
0004437998.tif 000002
【図２】
0004437998.tif 000003
【図３】
0004437998.tif 000004
【図４】
0004437998.tif 000005
【図５】
0004437998.tif 000006
【図６】
0004437998.tif 000007
【図７】
0004437998.tif 000008
【図８】
0004437998.tif 000009